(57)【要約】【課題】水素の効果は注目されているが、水素は反応性が高い物質なので体内に取り込もうとしても体内に届く前に空気と反応して消滅しやすい。また、高濃度の水素を機械によって製造して直接体内や体表面に接するようにすることも考えられるが機械装置は高価であり日常的に一般家庭で利用するのは難しい。【課題を解決するための手段】所定液体と反応することで水素を発生する水素発生パウダーと、前記水素発生パウダーを入れた破断容易な第一膜からなる水素発生剤カプセルと、水素発生パウダーと反応しない液体である非反応液体と水素発生剤カプセルとを入れた破断容易な第二膜からなるマクロカプセルと、からなる水素発生剤などを提供する。【選択図】図１
2018090442.tif 000002
【特許請求の範囲】
【請求項１】
所定液体と反応することで水素を発生する水素発生パウダーと、
前記水素発生パウダーを入れた破断容易な第一膜からなる水素発生剤カプセルと、
水素発生パウダーと反応しない液体である非反応液体と水素発生剤カプセルとを入れた破断容易な第二膜からなるマクロカプセルと、
からなる水素発生剤。
【請求項２】
前記第二膜は所定液体を不透過である海藻成分から構成される請求項１に記載の水素発生剤。
【請求項３】
前記第一膜はシリコンポリマーであり、前記非反応液体はシリコンオイルである請求項１又は２に記載の水素発生剤。
【請求項４】
水素発生パウダーはシリカハイドライドパウダーである請求項１から３のいずれか一に記載の水素発生剤。
【請求項５】
前記第二膜の内面には凹凸構造が備えられている請求項１から４のいずれか一に記載の水素発生剤。
【請求項６】
請求項１から５のいずれか一に記載の水素発生剤と、前記所定液体とを満たした水素発生剤構造体。
【請求項７】
満たされた水素発生剤と前記所定液体とを同時に外部吐出させるためのパイプを有する請求項６に記載の水素発生剤構造体。
【請求項８】
前記パイプには、このパイプに流れる水素発生剤の第一膜と第二膜とを破断する破断手段が設けられている請求項６又は７に記載の水素発生剤構造体。
【請求項９】
前記パイプに満たされている水素発生剤と前記所定液体とを同時に送り込むためのポンピング機能を有するポンピング手段を備えた請求項６から８のいずれか一に記載の水素発生剤構造体。
【請求項１０】
前記所定液体は水を含む化粧料である請求項６から９のいずれか一に記載の水素発生剤構造体。
【請求項１１】
前記所定液体は水を含む飲食料である請求項６から９のいずれか一に記載の水素発生構造体。
【発明の詳細な説明】
【技術分野】
【０００１】
本発明は水素発生剤並びに水素発生剤構造体に関し、特に、美容用途、飲食用途などに利用されるものに関する。
【背景技術】
【０００２】
近年、水素の還元作用に世間の注目が集まり、水素水などが小売店で見かけるようになった。水素を体内に取り込むことで血中の活性酸素を中和したり、胃腸内の細菌叢に働きかけて健康になる、などの効果がうたわれている。
【０００３】
また化粧、美容の分野では還元効果によってシミやそばかすを薄くしたり、除去できることが期待されている。そこで、皮膚などの対象物に直接水素を接触させるために、水と反応して水素を発生する物質を含有させた紙や布が提案されている（特許文献１）。しかしながら、空気との接触面積が広いために保管中に空気中の水分と反応して徐々に水素が消滅してしまうという問題があった。
【先行技術文献】
【特許文献】
【０００４】
【特許文献１】特開２０１４−１９６３５
【発明の概要】
【発明が解決しようとする課題】
【０００５】
水素の効果は注目されているが、水素は反応性が高い物質なので体内に取り込もうとしても体内に届く前に空気と反応して消滅しやすい。また、高濃度の水素を機械によって製造して直接体内や体表面に接するようにすることも考えられるが機械装置は高価であり日常的に一般家庭で利用するのは難しい。
【課題を解決するための手段】
【０００６】
上記課題を解決するために、第一の発明として、所定液体と反応することで水素を発生する水素発生パウダーと、前記水素発生パウダーを入れた破断容易な第一膜からなる水素発生剤カプセルと、水素発生パウダーと反応しない液体である非反応液体と水素発生剤カプセルとを入れた破断容易な第二膜からなるマクロカプセルと、からなる水素発生剤を提供する。
【０００７】
第二の発明として、前記第二膜は所定液体を不透過である海藻成分から構成される第一の発明の水素発生剤を提供する。
【０００８】
第三の発明として、前記第一膜はシリコンポリマーであり、前記非反応液体はシリコンオイルである第一の発明または第二の発明の水素発生剤を提供する。
【０００９】
第四の発明として、水素発生パウダーはシリカハイドライドパウダーである第一の発明から第三の発明のいずれか一に記載の水素発生剤を提供する。
【００１０】
第五の発明として、前記第二膜の内面には凹凸構造が備えられている第一の発明から第四の発明のいずれか一に記載の水素発生剤を提供する。
【００１１】
さらに、第六の発明として、第一の発明から第五の発明のいずれか一に記載の水素発生剤と、前記所定液体とを満たした水素発生剤構造体を提供する。
【００１２】
第七の発明として、満たされた水素発生剤と前記所定液体とを同時に外部吐出させるためのパイプを有する第六の発明の水素発生剤構造体を提供する。
【００１３】
第八の発明として、前記パイプには、このパイプに流れる水素発生剤の第一膜と第二膜とを破断する破断手段が設けられている第六の発明または第七の発明の水素発生剤構造体を提供する。
【００１４】
第九の発明として、前記パイプに満たされている水素発生剤と前記所定液体とを同時に送り込むためのポンピング機能を有するポンピング手段を備えた第六の発明から第八の発明のいずれか一に記載の水素発生剤構造体を提供する。
【００１５】
第十の発明として、前記所定液体は水を含む化粧料である第六の発明から第九の発明のいずれか一に記載の水素発生剤構造体を提供する。
【００１６】
第十一の発明として、前記所定液体は水を含む飲食料である第六の発明から第十の発明のいずれか一に記載の水素発生構造体を提供する。
【００１７】
以上の構成をとることによって本件発明では体内に届ける瞬間、又は体表面に接する瞬間に水素を発生可能としたので安価で日常的に水素を用いた健康促進や美容促進が可能となった。
【図面の簡単な説明】
【００１８】
【図１】実施形態１の水素発生剤を示す概念図
【図２】実施形態１の第二膜の内面の凹凸構造の一例を示す概念図
【図３】実施形態２の水素発生剤構造体を示す概念図
【図４】実施形態２の水素発生剤構造体を示す概念図
【図５】実施形態２のパイプに設けた破断手段の一例を示す概念図
【図６】実施形態２の水素発生剤構造体を示す概念図
【発明を実施するための形態】
【００１９】
以下に発明を実施するための形態を説明する。なお、本件発明はこれから記載する実施形態に限定して解釈されるべきものでない。なお、実施形態と請求項の関係は次の通りである。実施形態１は、主に請求項１から請求項５などに関する。実施形態２は、主に請求項7及び請求項１１などに関する。
＜実施形態１＞
【００２０】
実施形態１は水素発生剤について記載する。
＜構成＞
【００２１】
図１は、本実施形態の水素発生剤を示す概念図である。本実施形態は、水素発生パウダー（０１０１）と、水素発生パウダーを入れた水素発生剤カプセル（０１０２）と、水素発生剤カプセルとを入れたマクロカプセル（０１０３）と、からなる水素発生剤（０１００）である。
【００２２】
「水素発生パウダー」は、所定液体と反応することで水素を発生する。
「水素発生剤カプセル」は、水素発生パウダーを入れた破断容易な第一膜からなるカプセルである。
【００２３】
「マクロカプセル」は、水素発生パウダーと反応しない液体である非反応液体と水素発生剤カプセルとを入れた破断容易な第二膜からなるカプセルである。
＜各構成の説明＞
【００２４】
「水素発生パウダー」（０１０１）は、所定の液体と反応して水素を発生する。所定の液体は、人体に無害である必要がある。一般的には人体に有益な成分を含む水溶液である。水素発生パウダーはすでに公知技術であり、どのような水素発生パウダーを利用してもよい。ただし、このパウダーが水溶液と反応した結果生成される生成物も人体に無害である必要がある。無害の意味は、利用目的が食用の場合には体内に取り込んでも害がないことであり、体表面に接する用途の場合には体表面に対して無害であることを意味する。水素発生パウダーという表現を用いているが乾燥している状態を指すものでなく、元来乾燥状態の物であっても、液体に混ぜて液状、ゲル状であるものを含む趣旨である。また微粒であるがサイズは反応性を高めるために数ミクロン径から数百ミクロン径程度である。水素発生パウダーとして具体的にはシリカハイドライドパウダーを挙げることができる。このシリカハイドライドパウダーは水と反応して水素ガスを発生する。
【００２５】
「水素発生剤カプセル」（０１０２）は、水素発生パウダーを入れた破断容易な第一膜からなるカプセルである。破断容易性と水素発生パウダーの保持性とを両立させたものでなければならない。破断容易とするのは、利用しようとするまさにその瞬間に水素が発生するように仕組むためである。したがって人の通常の力で破断する程度の破断容易性を有しなければならない。例えば指ですりつぶせる程度の破断容易性である。一方、水素発生剤は、容器等に入れて運搬するのが一般的であるから輸送時の振動等で破断する程度に弱いと駄目である。つまり、運搬の振動程度では破断しない程度の強さが必要である。また、第一膜の材料も水素発生剤などと同様に人体に有害であってはならない。第一膜の厚さは数十ミクロン程度から数百ミクロン程度である。具体的には美容用途などの場合にはシリコンポリマー膜を挙げることができる。厚さは３０ミクロンから５０ミクロン程度である。なお、シリコンポリマーは食べても無害なので食用の場合にも利用できる。
【００２６】
「マクロカプセル」（０１０３）は、水素発生パウダーと反応しない液体である非反応液体（０１０４）と水素発生剤カプセルとを入れた破断容易な第二膜からなるカプセルである。このように構成することで水素発生パウダーは二重に保護されていることとなる。これは水素の有する反応性のためである。つまり、外部から反応性の液体が水素発生パウダーに接触しないように構成しているのである。マクロカプセル内に包含させる水素発生剤カプセルの数は数百から数千程度である。したがってマクロカプセルは相対的に大型のものとなるが、人の手でつぶせる程度の大きさである。例えば数ミリ径から１０ミリ程度である。マクロカプセルは水素発生パウダーと非反応性の液体で満たされているがこれも水素の有する反応性のためで水素発生パウダーをカプセルの壁面と液体の両者で保護構成したものである。第二膜は所定液体を不透過である海藻成分から構成することが考えられる。具体的には海藻をすりつぶしていったん乾燥させ、その成分を再度水で溶いて準備することができる。具体的な海藻成分としては、アルギン酸カルシウムやアルギン酸バリウムなどを使用することができる。
【００２７】
非反応性液体は、シリコンオイルを採用することが可能である。シリコンオイルは知られているすべての水素発生パウダーに反応しないからである。またシリコンオイルは人体に無害である。またシリコンオイルなどの非反応性の液体に加えてビタミン成分やミネラル成分を付加することも考えられる。発生する水素との協働作用によってより効果的に人体に働きかけるためである。
【００２８】
図２は、本実施形態の第二膜の内面の凹凸構造の一例を示す概念図である。第二膜は、その内面に凹凸構造（０２０５）が設けられていてもよい。図２（ａ）は、凹凸構造が網目状である例であり、図２（ｂ）は複数の山状の凹凸を有する例であるが、これらの例に限定されないのは勿論である。凹凸構造は、マクロカプセル内で水素発生剤カプセル（０２０１）が揺動するのを防止する役割を果たす。水素発生剤カプセルが揺動すると相互に摩擦を起こし、第一膜がすり減って内部収容している水素発生パウダーが漏れ出てしまうからである。凹凸構造は第二膜と同じ成分で構成されていてもよいし、第一膜と同じ成分で構成されていてもよい。またいずれとも異なる成分で構成されていてもよい。
＜実施形態２＞
【００２９】
実施形態２は、水素発生剤構造体について記載する。
＜構成＞
【００３０】
図３は、本実施形態の水素発生剤構造体を示す概念図である。本実施形態の水素発生剤構造体（０３１０）は、実施形態１の水素発生剤（０３００）と、水素発生パウダーと反応して水素を発生可能な所定液体（０３１１）とを満たしたものである。形態は、密閉形態が好ましく、ボトルや袋状の物である。ただし、外部から加えられる力が水素発生剤に不必要に加えられないような構造をとる必要がある。
＜具体的な構造＞
＜外部吐出パイプ＞
【００３１】
具体的な構造の一つとして、満たされた水素発生剤と前記所定液体とを同時に外部吐出させるためのパイプを有する構成が考えられる。これは、外部吐出の瞬間に水素発生パウダーが所定液体と反応して水素を発生させるためである。吐出は人力で行うものであってもよいし、モーター等を駆動して吐出するように構成するものであってもよい。
【００３２】
図４は、本実施形態の水素発生剤構造体を示す概念図である。水素発生剤構造体は、外部吐出させるためのパイプ（０４１２）を有している。図示するように、手で水素発生剤構造体に力を加えて内容物を押し出すことで、パイプから水素発生剤（０４００）及び水素発生パウダーと反応して水素を発生可能な所定液体（０４１１）が吐出できる構造となっている。使い方としては、パイプから吐出されたのちに手ですりつぶすような使い方がある。
＜破断手段＞
【００３３】
さらに、前記パイプには、このパイプに流れる水素発生剤の第一膜と第二膜とを破断する破断手段が設けられている構成が考えられる。このような構成であれば手ですりつぶすまでもなく、吐出の瞬間にパイプにて膜破断が行われると便利だからである。
【００３４】
図５は、本実施形態のパイプに設けた破断手段の一例を示す概念図である。図５（ａ）は、パイプの取込口は水素発生剤を破断することなく取り込むことができる大きさであるが、吐出方向（０５２１）を矢印で示したが、吐出側で水素発生剤が通過できないようパイプを細くするという破断手段を設けた例である。水素発生剤は細いパイプを通過する際に、その第一膜と第二膜とが破断され水素を発生可能な所定液体と水素発生パウダーが接触するので、外部吐出の瞬間に水素が発生することになる。図５（ｂ）は、パイプの途中に格子状の破断手段を設けて、水素発生剤が格子状の破断手段を通過する際に第一膜と第二膜が破断される例である。図５（ｃ）は、パイプの太さは一定であるが、パイプの内部にリング状の破断手段を設けて、水素発生剤がリング状の破断手段を通過する際に第一膜と第二膜が破断される例である。
＜ポンピング機能＞
【００３５】
さらに前記パイプに満たされている水素発生剤と前記所定液体とを同時に送り込むためのポンピング機能を有するポンピング手段を備えることが考えられる。ポンピング機能は前述のように手で押し出すものでも、モーター駆動の物でもよいが容器内に圧力差を設けて容器内の所定液体と所定液体中に包まれて存在するマクロカプセルとが同時にパイプに流入するように構成する。したがってパイプの径はマクロカプセルとの関係で定められる。
圧力差が大きくなるとマクロカプセルの破断につながるので圧力差はマクロカプセルの破断を誘引しない程度の圧力差である。
【００３６】
図６は、本実施形態の水素発生剤構造体を示す概念図である。図示するようにポンピング機能により容器内の圧力が上がり、容器内の液面が押し下げられて容器内の所定液体と所定液体中に包まれて存在するマクロカプセルとが同時にパイプに流入する。パイプから吐出する所定液体とマクロカプセルを手ですりつぶすような使い方もあるが、上述したようにパイプに破断手段を設け吐出の瞬間にパイプにて膜破断が行われる構成とすることもできる。
＜所定液体の種類＞
【００３７】
所定液体の種類は、用途が肌の美容等である場合には水を含む化粧料であってもよい。また、用途が食用飲用である場合には、前記所定液体は水を含む飲食料であってもよい。
【符号の説明】
【００３８】
０１００、０３００、０４００  水素発生剤
０１０１、０２０１  水素発生パウダー
０１０２  水素発生剤カプセル
０１０３  マクロカプセル
０１０４  非反応液体
０２０５  凹凸構造
０３１０  水素発生剤構造体
０３１１、０４１１  水素発生パウダーと反応して水素を発生可能な所定液体
０４１２  外部吐出させるためのパイプ
０５２１  吐出方向
【図１】
2018090442.tif 000003
【図２】
2018090442.tif 000004
【図３】
2018090442.tif 000005
【図４】
2018090442.tif 000006
【図５】
2018090442.tif 000007
【図６】
2018090442.tif 000008